(57)【要約】【課題】ガス使用上の安全性を向上したガス遮断装置を提供することを目的とする。【解決手段】ガスメータ１のガス流路２内に設けられた遮断弁３と、ガス流路を通過するガス流量を測定する流量測定部４と、電源としての電池５と、前記遮断弁を駆動する遮断弁駆動部６と、前記遮断弁と同等の抵抗値を有した擬似負荷７と、前記遮断弁駆動回路と同一構成を有し前記擬似負荷に通電する擬似負荷駆動回路８と、前記電池の電圧を測定する電池電圧判定部９と、前記擬似負荷に通電した時の前記電池の電圧が所定の電圧範囲外の時は前記遮断弁駆動信号出力を前記遮断弁から前記擬似負荷に切り替える擬似負荷出力切替部１６とを有するもので、擬似負荷駆動回路の故障により、擬似負荷に擬似負荷信号が出力されない場合に、遮断弁駆動回路より遮断弁駆動信号を擬似負荷信号の代用として出力することとなる。【選択図】図２
2008275316.tif 000002
【特許請求の範囲】
【請求項１】
ガスメータのガス流路内に設けられた遮断弁と、前記ガス流路を通過するガス流量を測定する流量測定部と、電源としての電池と、前記遮断弁を駆動する遮断弁駆動部と、前記遮断弁と同等の抵抗値を有した擬似負荷と、前記遮断弁駆動回路と同一構成を有し前記擬似負荷に通電する擬似負荷駆動回路と、前記電池の電圧を測定する電池電圧判定部と、前記擬似負荷に通電した時の前記電池の電圧が所定の電圧範囲外の時は前記遮断弁駆動信号出力を前記遮断弁から前記擬似負荷に切り替える擬似負荷出力切替部とを具備したガス遮断装置。
【請求項２】
擬似負荷駆動回路と擬似負荷間の接続を切り離す擬似負荷信号停止部を有する請求項１記載のガス遮断装置。
【請求項３】
遮断弁出力切替部または擬似負荷出力切替部の切り替えを行ったことを検出する切替検出部と、切替検出部からの切替信号を集中監視センタに転送する通信部を有する請求項１記載のガス遮断装置。
【発明の詳細な説明】
【技術分野】
【０００１】
本発明は、ガスメータ以後のガス使用時にガス使用上の安全を図るガス遮断装置に関するものである。
【背景技術】
【０００２】
従来のガス遮断装置は、ガス流路を閉栓するための遮断弁と、遮断弁を駆動するためのガス遮断制御部と、電源である電池とで構成されているものであった。
【０００３】
図３は、従来のガス遮断装置の構成を示すブロック図である。
【０００４】
図３おいて、ガス遮断装置１８は、所定の動作保証時間内のガス遮断装置１８の動作が可能な電池電源２５の容量が残されている消耗状態の電池電圧を検出して電圧低下信号ｆを出力する電圧低下検出部１９と、前記電圧低下信号ｆが入力されたときから遮断弁２４の開栓受け付けを行って、開栓要求（開栓要求スイッチまたは通信による開栓信号の入力による）があったときに開栓要求信号ｇを出力する開栓受付部２０と、前記電圧低下信号ｆが入力されたときから所定の動作保証時間をカウントして開栓終了信号ｈを出力するタイマー部２１と、前記開栓終了信号ｈが入力されたときに前記開栓要求信号ｇによる開栓を停止する閉栓停止信号ｉを出力する開栓機能遮断弁駆動信号停止部２２と、前記電圧低下信号ｆまたは前記閉栓停止信号ｉが入力されたとき遮断弁２４を閉栓動作させ、前記閉栓停止信号ｉの入力以前に前記開栓要求信号ｇが入力されたときに遮断弁２４を開栓させるガス遮断制御部２３とを備えて構成されている（例えば、特許文献１参照）。
【特許文献１】特開平１０−１０３５４６号公報
【発明の開示】
【発明が解決しようとする課題】
【０００５】
しかしながら、前記従来のガス遮断装置の構成では、遮断弁を駆動する遮断弁駆動回路が故障した場合には、緊急時に遮断弁駆動信号によって遮断弁を遮断することが不可能となって、安全機能が損なわれる可能性があるという課題を有していた。
【０００６】
本発明は、前記従来の課題を解決するもので、遮断弁駆動回路と同一構成を有する擬似負荷駆動回路により遮断弁を駆動可能とし、ガス遮断装置交換までの間に、安全機能を保有した状態でのガス使用を可能とすることを目的とする。
【課題を解決するための手段】
【０００７】
前記従来の課題を解決するために、本発明のガス遮断装置は、ガスメータのガス流路内に設けられた遮断弁と、前記ガス流路を通過するガス流量を測定する流量測定部と、電源としての電池と、前記遮断弁を駆動する遮断弁駆動部と、前記遮断弁と同等の抵抗値を有した擬似負荷と、前記遮断弁駆動回路と同一構成を有し前記擬似負荷に通電する擬似負荷駆動回路と、前記電池の電圧を測定する電池電圧判定部と、前記擬似負荷に通電した時の前記電池の電圧が所定の電圧範囲外の時は前記遮断弁駆動信号出力を前記遮断弁から前記擬似負荷に切り替える擬似負荷出力切替部とを有するものである。
【発明の効果】
【０００８】
本発明のガス遮断装置は、遮断弁駆動回路と同一構成を有する擬似負荷駆動回路から遮断弁駆動信号の代用として擬似負荷信号を出力することで、遮断弁を駆動可能とし、ガス遮断装置交換までの間に、安全機能を保有した状態でのガス使用を可能としたものであり、また、予備の遮断弁駆動回路を設置することによる回路重複なしに、保安機能を高める
ことができるものである。
【発明を実施するための最良の形態】
【０００９】
第１の発明は、ガスメータのガス流路内に設けられた遮断弁と、前記ガス流路を通過するガス流量を測定する流量測定部と、電源としての電池と、前記遮断弁を駆動する遮断弁駆動部と、前記遮断弁と同等の抵抗値を有した擬似負荷と、前記遮断弁駆動回路と同一構成を有し前記擬似負荷に通電する擬似負荷駆動回路と、前記電池の電圧を測定する電池電圧判定部と、前記擬似負荷に通電した時の前記電池の電圧が所定の電圧範囲外の時は前記遮断弁駆動信号出力を前記遮断弁から前記擬似負荷に切り替える擬似負荷出力切替部とを有するもので、擬似負荷駆動回路の故障により、擬似負荷に擬似負荷信号が出力されない場合に、遮断弁駆動回路より遮断弁駆動信号を擬似負荷信号の代用として出力することとなる。
【００１０】
第２の発明は、特に第１の発明に擬似負荷駆動回路を擬似負荷間の接続を切り離す擬似負荷信号停止部を有したもので、擬似負荷駆動回路の故障により、擬似負荷信号の出力が停止しなくなった場合に、強制的に前記擬似負荷信号を停止させることで、電池の消耗を防ぐことができる。
【００１１】
第３の発明は第１の発明に擬似負荷出力切替部の切り替えを行ったことを検出する切替検出部と、切替検出部からの切替信号を集中監視センタに転送する通信部を有したもので、回路故障を集中監視センタに転送することで、回路故障後に速やかに現場に向かうことができる。
【００１２】
先ず、本発明の実施例を述べる前に参考実施例について説明する。
【００１３】
（参考実施例１）
図１に示すように、ガス遮断装置は、ガスメータ１のガス流路２内に設けられた遮断弁３と、ガス流路２を通過するガス流量を測定する流量測定部４とガスメータ１に内蔵された電源用の電池５と、遮断弁駆動信号ａを出力し、遮断弁３を駆動することでガス流路２を閉止する遮断弁駆動回路６と、遮断弁３と同等の抵抗値を有した擬似負荷７に一定時間毎に擬似負荷信号ｂを出力し、遮断弁駆動回路６と同一構成を有する擬似負荷駆動回路８と、擬似負荷７に擬似負荷信号ｂを出力された時の電池５の電圧が予め規定された電圧の範囲内であるかを判定した電池電圧判定信号ｃを出力する電池電圧判定部９と、電池電圧判定信号ｃを受け取り、電池電圧判定信号ｃが所定の電圧以下であれば遮断弁駆動部６に電圧低下信号ｄを出力する電池電圧低下検出部１０と、遮断弁駆動回路６の遮断弁駆動信号ａを検出する遮断機能確認部１１と、擬似負荷信号出力ｂを擬似負荷７から遮断弁３に切り替える遮断弁出力切替部１２とからなる。
【００１４】
遮断弁３の駆動時、遮断機能確認部１１は遮断弁駆動回路６が遮断弁駆動信号ａを出力することを検出する。
【００１５】
遮断弁駆動信号ａが遮断機能確認部１１で検出できない場合、遮断弁駆動回路６の故障と判断して、擬似負荷駆動回路８から擬似負荷信号ｂを出力し、同時に遮断弁出力切替部１２の切り替えを行い、擬似負荷信号ｂを遮断弁３に出力する。
【００１６】
ここで、遮断弁駆動回路６と擬似負荷駆動回路８が同一構成となっており、擬似負荷信号ｂにより遮断弁３を駆動する事が可能である。
【００１７】
このように遮断弁駆動回路６が故障し、遮断弁駆動信号ａを出力できない状態でも、擬似負荷駆動回路８から擬似負荷信号ｂを遮断弁３に供給をすることで遮断弁３を駆動可能
とし、ガス遮断装置交換までの間に、安全機能を高めることができる。
【００１８】
また、予備の遮断弁駆動回路６を設置することによる回路重複なしに保安機能を高めることができる。
【００１９】
また、遮断弁駆動回路６の遮断弁駆動信号ａの出力を停止させる遮断弁駆動信号停止部１３を有しており、遮断機能確認部１１が一定時間以上の遮断弁駆動信号ａを検出すると、遮断弁駆動信号ａを遮断弁駆動信号停止部１３が停止させることにより、電池５の早期消耗を防ぐことができ、従来の様に、遮断弁駆動回路６の故障により、遮断弁駆動信号ａが出力され続けた場合に、電池５の消耗を早めてしまうことがない。
【００２０】
また、遮断弁駆動信号ａを遮断弁駆動信号停止部１３が停止させているときの遮断弁３の駆動は、擬似負荷駆動回路８、及び遮断弁出力切替部１２を動作させ、擬似負荷信号ｂを用いて遮断弁３を駆動することが可能となる。
【００２１】
さらに、本参考実施例に遮断弁出力切替部１２の切り替えを行ったことを検出する切替検出部１４と、切替検出部１４からの切替信号ｅを集中監視センタに転送する通信部１５を設けることにより、切替信号ｅを通信部１５を介して、集中監視センタに転送することで遮断弁駆動回路６が故障したことを知らせることができるため、遮断弁駆動回路６故障後に速やかに現場に向かうことができる。
【００２２】
以上の参考実施例をふまえ以下本発明の実施例を図面を参照しつつ説明する。なお、実施例によって本発明が限定されるものではない。
【００２３】
（実施例１）
図２は本発明の実施例１を示し、図１と同作用をする部分には同一符号を付し、具体的説明は便宜上参考実施例１のものを援用する。
【００２４】
図２において、ガスメータ１のガス流路２内に設けられた遮断弁３と、ガス流路２を通過するガス流量を測定する流量測定部４と、ガスメータ１に内蔵された電源用の電池５と、遮断弁駆動信号ａを出力し、遮断弁３を駆動することでガス流路２を閉止する遮断弁駆動部６と、遮断弁３と同等の抵抗値を有した擬似負荷７に一定時間毎に擬似負荷信号ｂを出力し、遮断弁駆動回路６と同一構成を有する擬似負荷駆動回路８と、擬似負荷７に擬似負荷信号ｂを出力された時の電池５の電圧が予め規定された電圧の範囲内であるかを判定した電池電圧判定信号ｃを出力する電池電圧判定部９と、電池電圧判定信号ｃを受け取り、電池電圧判定信号ｃが規定範囲外であれば遮断弁駆動回路６に電圧低下信号ｄを出力する電池電圧低下検出部１０と、遮断弁駆動信号ａの出力を遮断弁３から擬似負荷７に切り替えを行う擬似負荷出力切替部１６を有するガス遮断装置である。
【００２５】
電池５の電圧低下検出時、電池電圧判定信号ｃが電池５の電圧が所定の電圧範囲外の判定であった場合、実際に電池５の電圧が低下している場合と、電池電圧判定部９が電池５の電圧を誤判定している場合が考えられる。
【００２６】
そこで、遮断弁駆動回路６から遮断弁駆動信号ａを出力し、同時に擬似負荷７に出力することで電池５の電圧を電池電圧判定部９に出力することにより、電池電圧を検出するのである。
【００２７】
ここで、電池５の電圧が低下であると電池電圧判定部９が電池電圧判定信号ｃを出力した場合、擬似負荷駆動回路８は正常動作をしており問題ないが、電池５の電圧が正常であるのに電池電圧判定部９が電池電圧判定信号ｃを出力していた場合は、擬似負荷駆動回路
８は故障していると判断し、前回の電池電圧低下検出履歴をリセットすることで、誤判定による電池電圧低下確定を防ぎ、ガス使用上の利便性を図ることができる。
【００２８】
また、擬似負荷駆動回路８の擬似負荷信号ｂの出力を停止させる擬似負荷信号停止部１７を有しており、電池電圧低下検出部が１０一定時間以上の電池電圧判定信号ｃを検出すると、擬似負荷信号ｂを擬似負荷信号停止部１７が停止させることにより、電池５の早期消耗を防ぐことができ、従来のように、擬似負荷駆動回路８の故障により、擬似負荷信号ｂが出力され続けた場合に、電池５の消耗を早めてしまうことがない。
【００２９】
そして、擬似負荷信号ｂを電池電圧低下検出部１０が停止させているときの電池５の電圧検出は、遮断弁駆動回路６、及び擬似負荷出力切替部１６を動作させ、擬似負荷７に遮断弁駆動信号ａを送ることで電池５の電圧検出することができる。
【００３０】
さらに、本実施例１に擬似負荷出力切替部１６の切り替えを行ったことを検出する切替検出部１４と、この切替検出部１４からの切替信号ｅを集中監視センタに転送する通信部１５を設ければ、切替信号ｅを通信部１５を介して、集中監視センタに転送することで、擬似負荷駆動回路８が故障したことを知らせることができるため、擬似負荷駆動回路８の故障後に速やかに現場に向かうことができる。
【産業上の利用可能性】
【００３１】
以上のように、本発明にかかるガス遮断装置は、ガスメータ以後のガス使用時にガス使用上の安全を図るガス遮断装置に関するものである用途に適用することができる。
【図面の簡単な説明】
【００３２】
【図１】本発明の参考実施例１におけるガス遮断装置の構成図
【図２】本発明の実施例１におけるガス遮断装置の構成図
【図３】従来のガス遮断装置の構成図
【符号の説明】
【００３３】
１  ガスメータ
２  ガス流路
３  遮断弁
４  流量測定部
５  電池
６  遮断弁駆動回路
７  擬似負荷
８  擬似負荷駆動回路
９  電池電圧判定部
１５  通信部
１６  擬似負荷出力切替部
１７  擬似負荷信号停部
【図１】
2008275316.tif 000003
【図２】
2008275316.tif 000004
【図３】
2008275316.tif 000005